(57)【特許請求の範囲】
【請求項１】
シンクの底部に対してシンク開口部が形成されている排水容器と、
かご開口部と脱水孔とを有し、前記排水容器に着脱可能に収納されるゴミかごと、
前記ゴミかごの底部に配置された軸受部材と、
前記軸受部材の下面の中央部に形成された凹形状の軸受部と、
前記軸受部材の下面に前記ゴミかごと同軸上に接続され、前記ゴミかごと一体回転する円筒形状の第一磁石と、
前記第一磁石の外周面と径方向に対向して配置され、かつ羽根車と接続されて前記羽根車と一体回転する第二磁石と、
前記第二磁石および前記羽根車を前記第一磁石に対して隔離し、かつ前記羽根車側に水路を形成する隔離部材と、
前記水路に水を供給する給水路と、
前記隔離部材によって下部が支持されて鉛直方向に延在し、かつ前記第一磁石の軸部の貫通孔および前記軸受部に挿入され、前記ゴミかごを回転自在に支持する軸部材と、
を備え、
前記羽根車および前記第二磁石は、前記水路内の水流によって回転し、
前記ゴミかごは、前記第一磁石と前記第二磁石との間に作用する磁力によって前記羽根車の回転と連動して回転する
ことを特徴とするゴミ脱水システム。
【請求項２】
更に、前記シンクに吐水する水栓を備え、
前記給水路は、前記水路を介して前記水栓に水を供給する
請求項１に記載のゴミ脱水システム。
【請求項３】
前記羽根車および前記ゴミかごは、共通の鉛直軸上に直列的に配置され、かつ前記鉛直軸まわりに回転自在に支持されており、前記第一磁石と前記第二磁石とは前記羽根車の径方向において互いに対向している
請求項１または２に記載のゴミ脱水システム。
【請求項４】
更に、前記排水容器によって支持されて前記ゴミかごを支持し、前記ゴミかごの径方向の移動を規制する支持部材を備える
請求項１から３のいずれか１項に記載のゴミ脱水システム。
【請求項５】
前記支持部材は、軸受あるいはブッシュを介して前記ゴミかごを径方向外側から支持する
請求項４に記載のゴミ脱水システム。
【請求項６】
前記支持部材は、前記シンクの底部よりも鉛直方向上側に突出する把手部を有する
請求項４または５に記載のゴミ脱水システム。
【請求項７】
更に、前記シンク開口部に係合する蓋を備え、
前記蓋は、前記シンクの水を前記ゴミかご内に導く状態と、前記シンクの水を前記ゴミかご内を介さずに前記排水容器に導く状態とに切り替え可能である
請求項１から６のいずれか１項に記載のゴミ脱水システム。
【請求項８】
前記蓋は、
前記シンク開口部に係合する蓋本体と、
前記蓋本体に形成され、前記シンクと前記ゴミかご内とを連通する第一開口部と、
前記蓋本体に形成され、前記シンクと前記排水容器における前記ゴミかごの外部とを連通する第二開口部と、
前記第一開口部に係合して前記第一開口部を閉塞する内蓋と、
を有し、
前記シンクの水を前記ゴミかご内に導く状態とは、前記第一開口部が開放された状態であり、前記シンクの水を前記ゴミかご内を介さずに前記排水容器に導く状態とは、前記内蓋によって前記第一開口部が閉塞されている状態である
請求項７に記載のゴミ脱水システム。
【請求項９】
前記排水容器は、互いに異なる鉛直方向の位置で前記支持部材を支持する複数の支持部を有し、
前記支持部が前記支持部材を支持する鉛直方向の位置に応じて、前記シンクの水を前記ゴミかご内に導く状態と、前記シンクの水を前記ゴミかご内を介さずに前記排水容器に導く状態とが切り替わる
請求項４から６のいずれか１項に記載のゴミ脱水システム。
【請求項１０】
更に、前記シンク開口部を閉塞可能であり、かつ前記シンク開口部を閉塞した状態で前記シンクと前記ゴミかご内とを連通する開口部を有する蓋を備え、
前記蓋は、前記支持部材によって支持され、前記支持部が前記支持部材を支持する鉛直方向の位置に応じて前記排水容器に対して鉛直方向に相対移動することで前記シンク開口部を閉塞あるいは開放し、
前記シンクの水を前記ゴミかご内に導く状態とは、前記蓋が前記シンク開口部を閉塞した状態であり、
前記シンクの水を前記ゴミかご内を介さずに前記排水容器に導く状態とは、前記蓋が前記シンク開口部を開放して、前記シンクの水が前記ゴミかごと前記排水容器との隙間に流入する状態である
請求項９に記載のゴミ脱水システム。
【請求項１１】
前記支持部材と前記ゴミかごとは、前記ゴミかごの軸方向に相対移動可能であり、
前記支持部材は、前記支持部が前記支持部材を支持する鉛直方向の位置に応じて前記ゴミかごに対して前記軸方向に相対移動し、前記ゴミかごと係合して前記ゴミかごの回転を規制する状態と前記ゴミかごと係合しない状態とに切り替わる
請求項９または１０に記載のゴミ脱水システム。
【発明の詳細な説明】
【技術分野】
【０００１】
本発明は、ゴミ脱水システムに関する。
【背景技術】
【０００２】
従来、ゴミかごを回転させることによってゴミを脱水する技術が公知である。例えば、特許文献１には、供給水路を介して供給される高圧の水流によって水切りかごを回転させ、該水切りかご内に収容された生ごみの脱水を行う厨芥脱水装置の技術が開示されている。
【先行技術文献】
【特許文献】
【０００３】
【特許文献１】特開平７−１６４９２号公報
【発明の概要】
【発明が解決しようとする課題】
【０００４】
ゴミかごを回転させる給水と、シンクから排出される排水との接触を規制できることが望まれている。例えば、給水と排水との接触を未然に規制することができれば、給水系統に対する排水の混入を抑制するバキュームブレーカー等の機構を省略することができる。
【０００５】
本発明の目的は、ゴミかごを回転させる給水と、排水との接触を規制できるゴミ脱水システムを提供することである。
【課題を解決するための手段】
【０００６】
本発明のゴミ脱水システムは、シンクの底部に対してシンク開口部が形成されている排水容器と、かご開口部と脱水孔とを有し、前記排水容器に着脱可能に収納されるゴミかごと、前記ゴミかごの底部に配置された軸受部材と、前記軸受部材の下面の中央部に形成された凹形状の軸受部と、前記軸受部材の下面に前記ゴミかごと同軸上に接続され、前記ゴミかごと一体回転する円筒形状の第一磁石と、前記第一磁石の外周面と径方向に対向して配置され、かつ羽根車と接続されて前記羽根車と一体回転する第二磁石と、前記第二磁石および前記羽根車を前記第一磁石に対して隔離し、かつ前記羽根車側に水路を形成する隔離部材と、前記水路に水を供給する給水路と、前記隔離部材によって下部が支持されて鉛直方向に延在し、かつ前記第一磁石の軸部の貫通孔および前記軸受部に挿入され、前記ゴミかごを回転自在に支持する軸部材と、を備え、前記羽根車および前記第二磁石は、前記水路内の水流によって回転し、前記ゴミかごは、前記第一磁石と前記第二磁石との間に作用する磁力によって前記羽根車の回転と連動して回転することを特徴とする。
【０００７】
上記ゴミ脱水システムにおいて、更に、前記シンクに吐水する水栓を備え、前記給水路は、前記水路を介して前記水栓に水を供給することが好ましい。
【０００８】
上記ゴミ脱水システムにおいて、前記羽根車および前記ゴミかごは、共通の鉛直軸上に直列的に配置され、かつ前記鉛直軸まわりに回転自在に支持されており、前記第一磁石と前記第二磁石とは前記羽根車の径方向において互いに対向していることが好ましい。
【０００９】
上記ゴミ脱水システムにおいて、更に、前記排水容器によって支持されて前記ゴミかごを支持し、前記ゴミかごの径方向の移動を規制する支持部材を備えることが好ましい。
【００１０】
上記ゴミ脱水システムにおいて、前記支持部材は、軸受あるいはブッシュを介して前記ゴミかごを径方向外側から支持することが好ましい。
【００１１】
上記ゴミ脱水システムにおいて、前記支持部材は、前記シンクの底部よりも鉛直方向上側に突出する把手部を有することが好ましい。
【００１２】
上記ゴミ脱水システムにおいて、更に、前記シンク開口部に係合する蓋を備え、前記蓋は、前記シンクの水を前記ゴミかご内に導く状態と、前記シンクの水を前記ゴミかご内を介さずに前記排水容器に導く状態とに切り替え可能であることが好ましい。
【００１３】
上記ゴミ脱水システムにおいて、前記蓋は、前記シンク開口部に係合する蓋本体と、前記蓋本体に形成され、前記シンクと前記ゴミかご内とを連通する第一開口部と、前記蓋本体に形成され、前記シンクと前記排水容器における前記ゴミかごの外部とを連通する第二開口部と、前記第一開口部に係合して前記第一開口部を閉塞する内蓋と、を有し、前記シンクの水を前記ゴミかご内に導く状態とは、前記第一開口部が開放された状態であり、前記シンクの水を前記ゴミかご内を介さずに前記排水容器に導く状態とは、前記内蓋によって前記第一開口部が閉塞されている状態であることが好ましい。
【００１４】
上記ゴミ脱水システムにおいて、前記排水容器は、互いに異なる鉛直方向の位置で前記支持部材を支持する複数の支持部を有し、前記支持部が前記支持部材を支持する鉛直方向の位置に応じて、前記シンクの水を前記ゴミかご内に導く状態と、前記シンクの水を前記ゴミかご内を介さずに前記排水容器に導く状態とが切り替わることが好ましい。
【００１５】
上記ゴミ脱水システムにおいて、更に、前記シンク開口部を閉塞可能であり、かつ前記シンク開口部を閉塞した状態で前記シンクと前記ゴミかご内とを連通する開口部を有する蓋を備え、前記蓋は、前記支持部材によって支持され、前記支持部が前記支持部材を支持する鉛直方向の位置に応じて前記排水容器に対して鉛直方向に相対移動することで前記シンク開口部を閉塞あるいは開放し、前記シンクの水を前記ゴミかご内に導く状態とは、前記蓋が前記シンク開口部を閉塞した状態であり、前記シンクの水を前記ゴミかご内を介さずに前記排水容器に導く状態とは、前記蓋が前記シンク開口部を開放して、前記シンクの水が前記ゴミかごと前記排水容器との隙間に流入する状態であることが好ましい。
【００１６】
上記ゴミ脱水システムにおいて、前記支持部材と前記ゴミかごとは、前記ゴミかごの軸方向に相対移動可能であり、前記支持部材は、前記支持部が前記支持部材を支持する鉛直方向の位置に応じて前記ゴミかごに対して前記軸方向に相対移動し、前記ゴミかごと係合して前記ゴミかごの回転を規制する状態と前記ゴミかごと係合しない状態とに切り替わることが好ましい。
【発明の効果】
【００１７】
本発明に係るゴミ脱水システムは、ゴミかごの底部に配置された軸受部材と、軸受部材の下面の中央部に形成された凹形状の軸受部と、軸受部材の下面にゴミかごと同軸上に接続され、ゴミかごと一体回転する円筒形状の第一磁石と、第一磁石の外周面と径方向に対向して配置され、かつ羽根車と接続されて羽根車と一体回転する第二磁石と、第二磁石および羽根車を第一磁石に対して隔離し、かつ羽根車側に水路を形成する隔離部材と、水路に水を供給する給水路と、隔離部材によって下部が支持されて鉛直方向に延在し、かつ第一磁石の軸部の貫通孔および軸受部に挿入され、ゴミかごを回転自在に支持する軸部材と、を備える。羽根車および第二磁石は、水路内の水流によって回転し、ゴミかごは、第一磁石と第二磁石との間に作用する磁力によって羽根車の回転と連動して回転する。よって、本発明に係るゴミ脱水システムによれば、ゴミかごを回転させる給水と、排水との接触を規制できるという効果を奏する。
【図面の簡単な説明】
【００１８】
【図１】図１は、第１実施形態に係るゴミ脱水システムを備えるキッチンシステムの概略構成を示す図である。
【図２】図２は、第１実施形態に係るゴミ脱水システムを示す斜視図である。
【図３】図３は、第１実施形態に係るゴミ脱水システムの要部断面図である。
【図４】図４は、第１実施形態に係る磁石の配置の一例を示す断面図である。
【図５】図５は、第２実施形態に係るゴミ脱水システムを示す斜視図である。
【図６】図６は、第２実施形態に係るゴミ脱水システムの要部断面図である。
【図７】図７は、第３実施形態に係るゴミ脱水システムを示す断面図である。
【図８】図８は、第３実施形態に係る排水容器の蓋を示す斜視図である。
【図９】図９は、中央開口部を開放した状態の蓋を示す斜視図である。
【図１０】図１０は、中央開口部を閉塞した状態の蓋を示す断面図である。
【図１１】図１１は、中央開口部を閉塞した状態の蓋を示す斜視図である。
【図１２】図１２は、第４実施形態に係る排水容器を示す斜視図である。
【図１３】図１３は、第４実施形態に係る蓋を示す斜視図である。
【図１４】図１４は、第４実施形態に係る蓋を示す断面図である。
【図１５】図１５は、第４実施形態に係るゴミ脱水システムを示す断面図である。
【図１６】図１６は、ゴミかごの回転を規制した状態の説明図である。
【図１７】図１７は、ゴミかご外へ水を導く状態の説明図である。
【発明を実施するための形態】
【００１９】
以下に、本発明の実施形態に係るゴミ脱水システムにつき図面を参照しつつ詳細に説明する。なお、この実施形態によりこの発明が限定されるものではない。また、下記の実施形態における構成要素には、当業者が容易に想定できるものあるいは実質的に同一のものが含まれる。
【００２０】
［第１実施形態］
図１から図４を参照して、第１実施形態について説明する。本実施形態は、ゴミ脱水システムに関する。図１は、実施形態に係るゴミ脱水システム１−１を備えるキッチンシステムの概略構成を示す図、図２は、第１実施形態に係るゴミ脱水システム１−１を示す斜視図、図３は、第１実施形態に係るゴミ脱水システム１−１の要部断面図、図４は、第１実施形態に係る磁石の配置の一例を示す断面図である。
【００２１】
図１に示すように、本実施形態に係るゴミ脱水システム１−１は、キッチンシステム１００に設けられるものである。キッチンシステム１００は、本体１０１、シンク１０２、給水管１０３、配管１０４、排水管１０５、キッチン水栓１０６、排水容器２、ゴミかご３および底部容器４を備える。図３に示すように、本実施形態のゴミ脱水システム１−１は、排水容器２、ゴミかご３、かご開口部３２、脱水孔３４、第一磁石３５、第二磁石３６、隔離部材５を備える。ゴミ脱水システム１−１は、更に、図１に示す配管１０４を備える。
【００２２】
配管１０４は、給水管１０３から底部容器４内を経由してキッチン水栓１０６に上水を供給するものである。配管１０４は、給水管１０３と底部容器４とを接続する第一配管１０４ａと、底部容器４とキッチン水栓１０６とを接続する第二配管１０４ｂとを有する。キッチン水栓１０６は、ユーザーの操作によって、シンク１０２に吐水する開状態と、吐水を行わない閉状態とに切り替えられる水栓である。
【００２３】
排水容器２は、有底円筒形状であり、シンク１０２の底部１０２ａよりも鉛直方向の下側に形成されている。本明細書では、特に記載しない場合、「上下方向」とは鉛直方向における上下方向を示すものとする。排水容器２は、例えば、中心軸線が鉛直方向に延在するように配置される。排水容器２には、シンク１０２側にシンク開口部２２が形成されている。シンク開口部２２は、シンク１０２の底部１０２ａに対して形成されており、鉛直方向上側に向けて開口する開口部である。シンク開口部２２は、シンク１０２の底部１０２ａと同一平面で開口するように形成されている。シンク１０２内の排水はシンク開口部２２を介して排水容器２に流入する。
【００２４】
排水容器２には、排水管１０５が接続されている。排水容器２内の排水は、排水管１０５を介して排出される。図２に示すように、排水容器２は、排水管接続部２７を備える。排水管接続部２７は、排水容器２の下部に形成されており、排水容器２の内部と外部とを連通している。排水管１０５は、排水管接続部２７に接続される。
【００２５】
図２に示すように、排水容器２は、下部フランジ部２４および上部フランジ部２５を有する。上部フランジ部２５は、排水容器２におけるシンク開口部側の端部に形成されている。上部フランジ部２５は、シンク１０２の底部１０２ａと連続した面を形成する。下部フランジ部２４は、上部フランジ部２５よりも底部側に形成されている。下部フランジ部２４は、排水容器２の内壁面に形成されている。下部フランジ部２４は、底部側よりもシンク開口部側が径方向の外側に張り出すように屈曲した段差部である。言い換えると、下部フランジ部２４は、シンク開口部側を向く円環形状の面である。
【００２６】
排水容器２の底部には、隔離部材５を介して底部容器４が接続されている。図３に示すように、排水容器２の底部２１の中心部には、開口部が形成されており、隔離部材５は、この開口部を閉塞している。底部容器４は、有底円筒形状であり、シンク開口部側に向けて開口している。底部容器４は、隔離部材５の底部側に接続されており、隔壁部材５によって排水容器２の内部空間、すなわち排水領域２８と隔離されている。排水領域２８は、排水容器２内におけるシンク開口部２２と排水管接続部２７とを接続する空間部である。ゴミかご３は、排水領域２８に着脱可能に収納される。具体的には、ゴミかご３の外径は、シンク開口部２２の内径よりも小径である。これにより、ユーザーは、排水容器２のシンク開口部２２を介してゴミかご３を排水容器２に挿入可能であると共に、排水容器２内に収納されたゴミかご３を取り出すことができる。
【００２７】
図３に示すように、排水領域２８の下部には、軸部材２３が配置されている。軸部材２３は、円柱形状であり、鉛直方向に延在している。軸部材２３の下部は、隔離部材５によって支持されている。
【００２８】
ゴミかご３は、有底円筒形状である。ゴミかご３は、かご開口部３２、軸受部材３３および脱水孔３４を有する。かご開口部３２は、ゴミかご３における底部側と反対側、すなわちシンク開口部側に形成されている。かご開口部３２は、排水領域２８に収納された状態でシンク開口部側に向けて開口する。軸受部材３３は、ゴミかご３の底部３１に配置されている。軸受部材３３は、ゴミかご３の底部３１に対して鉛直方向下側に向けて突出している。軸受部材３３の下面には、軸部材２３に対応する軸受部３３ａが形成されている。軸受部３３ａは、軸受部材３３の下面の中央部に形成された凹部である。ゴミかご３は、軸受部３３ａにおいて軸部材２３によって支持されて鉛直軸まわりに自在に回転することができる。
【００２９】
軸受部材３３には、第一磁石３５が接続されている。第一磁石３５は、円筒形状をなしており、軸受部材３３の下面に接続されている。ゴミかご３と第一磁石３５とは、軸受部材３３を介して連結されており、ゴミかご３、軸受部材３３および第一磁石３５は一体回転する。第一磁石３５は、ゴミかご３の回転軸まわりに配置されている。より具体的には、第一磁石３５は、ゴミかご３の回転軸である中心軸線と同軸上に配置されている。軸部材２３は、第一磁石３５の軸部に形成された貫通孔に対して鉛直方向下側から挿入され、次いで軸受部３３ａに挿入されている。隔離部材５における径方向の中心部には、底部側に向けて突出する突出部５ａが形成されている。突出部５ａは、有底円筒形状であり、第一磁石３５はこの突出部５ａに収納されている。
【００３０】
脱水孔３４は、ゴミかご３内の水を排水容器２の排水領域２８に排出するものである。脱水孔３４は、ゴミかご３に複数形成されている。脱水孔３４は、ゴミかご３の底部３１や側壁部に配置されており、内壁面から外壁面まで貫通して形成されている。なお、脱水孔３４の形状や配置、ゴミかご３が有する脱水孔３４の数は、適宜定めることができる。
【００３１】
底部容器４内には、水路４１が形成されている。水路４１は、隔離部材５によって排水容器２の排水領域２８と仕切られており、排水領域２８から隔離されている。言い換えると、排水領域２８と水路４１とは隔離部材５によって縁切りされている。図２に示すように、底部容器４は、入口側接続部４２および出口側接続部４３を有する。入口側接続部４２および出口側接続部４３は、それぞれ底部容器４内の水路４１と底部容器４の外部とを連通している。入口側接続部４２には、第一配管１０４ａが接続され、出口側接続部４３には第二配管１０４ｂが接続される。水路４１には、第一配管１０４ａから入口側接続部４２を介して上水が流入する。また、水路４１の水は、出口側接続部４３を介して第二配管１０４ｂに流出する。つまり、第一配管１０４ａは、水路４１に水を供給する給水路であり、第二配管１０４ｂは、キッチン水栓１０６に水を供給する給水路である。
【００３２】
入口側接続部４２は、出口側接続部４３よりもシンク開口部側、すなわち鉛直方向上側に配置されている。つまり、水路４１は、上部から水が流入し、下部から水が流出する。入口側接続部４２は、水路４１に周方向の水流を発生させることができるように形成されている。具体的には、入口側接続部４２は、底部容器４の接線方向に延在している。出口側接続部４３は、水路４１の水を水流に沿って第二配管１０４ｂに導く方向に延在している。これにより、出口側接続部４３は、水路４１の水流の勢いを低下させずに第二配管１０４ｂに水を流出させることができる。
【００３３】
図３に示すように、水路４１には、羽根車６が配置されている。羽根車６は、軸部６ａ、筒状部６ｂおよび羽根６ｃを有する。軸部６ａは、円柱形状であり、底部容器４の軸受部４４によって支持されている。軸受部４４は、底部容器４の底面に形成された凹部である。軸部６ａは、その下端側が軸受部４４に挿入されて軸受部４４によって鉛直軸まわりに回転自在に支持されている。また、軸受部４４の内径は、軸部６ａの外径と対応しており、軸部６ａが軸受部４４の中心軸線に対して傾斜することが抑制される。
【００３４】
なお、軸部６ａと軸部材２３とは鉛直方向の同一の軸線上に直列の位置関係で配置されている。つまり、羽根車６およびゴミかご３は、共通の鉛直軸上に直列的に配置され、かつ当該鉛直軸まわりに回転自在に支持されている。
【００３５】
筒状部６ｂは、軸部６ａの上部に配置されている。筒状部６ｂは、軸部６ａと一体回転するように軸部６ａと連結されている。筒状部６ｂは、底部側からシンク開口部側へ向かうに従い径が拡大するテーパ形状である。筒状部６ｂは、シンク開口部側が開口しており、隔離部材５の突出部５ａの先端は筒状部６ｂに挿入されている。
【００３６】
第二磁石３６は、筒状部６ｂのシンク開口部側に接続されており、羽根車６と一体回転する。第二磁石３６は、筒状部６ｂおよび軸部６ａと一体回転する。第二磁石３６は、円筒形状であり、隔離部材５の突出部５ａを挟んで第一磁石３５と互いに対向している。より具体的には、第二磁石３６の内周面と、第一磁石３５の外周面とは、突出部５ａの側壁部を挟んで羽根車６の径方向において互いに対向している。このように、隔離部材５は、第二磁石３６および羽根車６を第一磁石３５に対して隔離し、かつ第二磁石３６および羽根車６側に水路４１を形成している。
【００３７】
図４には、第一磁石３５および第二磁石３６における中心軸線（鉛直軸）と直交する断面が示されている。第一磁石３５および第二磁石３６は、それぞれ周方向にＳ極とＮ極が交互に配置されている。本実施形態では、第一磁石３５および第二磁石３６は、それぞれ４つのＳ極および４つのＮ極を有しており、各Ｓ極と各Ｎ極とが均等にかつ交互に配置されている。従って、第一磁石３５および第二磁石３６には、図４に示す状態、すなわち一方のＳ極と他方のＮ極とが径方向において互いに対向する状態を維持するように磁力による回転方向の力が作用する。本実施形態では、第一磁石３５と第二磁石３６とが径方向において対向して配置されている。これにより、軸方向のサイズが大きくなることが抑制されている。
【００３８】
図３に戻り、羽根６ｃは、筒状部６ｂの外周面に複数配置されている。羽根６ｃは、例えば、筒状部６ｂと一体成形されており、筒状部６ｂと一体回転する。羽根６ｃは、筒状部６ｂの周方向に所定の間隔で連続的に配置されている。羽根６ｃは、筒状部６ｂに対して径方向外側に突出している。キッチン水栓１０６が開かれると、第一排水管１０４ａ、水路４１および第二水路１０４ｂを介してキッチン水栓１０６に上水が供給される。このときに、第一配管１０４ａから水路４１に流入する水によって水路４１内に周方向の水流が発生し、この水流が羽根６ｃに対して周方向の力を作用させる。水流から受ける力によって、羽根６ｃ、軸部６ａ、筒状部６ｂおよび第二磁石３６は一体回転する。また、第二磁石３６と第一磁石３５との間に作用する磁力は、第一磁石３５を回転駆動する力として作用し、第一磁石３５およびゴミかご３を回転させる。つまり、ゴミかご３は、第一磁石３５と第二磁石３６との間に作用する磁力によって第二磁石３６の回転と連動して回転する。
【００３９】
従って、本実施形態のゴミ脱水システム１−１は、キッチン水栓１０６の吐水と連動してゴミかご３を回転させることができる。ゴミかご３が回転すると、ゴミかご３内のゴミに対して遠心力が作用する。ゴミは、遠心力によってゴミかご３の内壁面に押しつけられ、ゴミの水分が複数の脱水孔３４を介して排水容器２に排出されてゴミが脱水される。よって、本実施形態のゴミ脱水システム１−１は、キッチン水栓１０６が吐水する際にゴミかご３を回転させ、シンク１０２からゴミかご３に流入したゴミを脱水することができる。
【００４０】
本実施形態のゴミ脱水システム１−１では、水路４１が排水領域２８と縁切りされており、ゴミかご３を回転させる給水と、シンク１０２から排出される排水との接触が規制されている。従って、排水と上水とをクロスコネクションさせることなく上水の水流を動力としてゴミかご３のごみの水切りを行うことができる。上水の水路４１と排水領域２８とが空間的に隔離されているため、上水への排水の混入を抑制するためのバキュームブレーカー等を省略することができる。よって、キッチンシステム１００のコスト低減や意匠性の向上を図ることができる。
【００４１】
また、本実施形態のゴミ脱水システム１−１によれば、ユーザーが特別な操作をすることなくキッチン水栓１０６の吐水時にゴミかご３内のゴミを自動的に脱水することができるため、利便性が向上する。また、キッチン水栓１０６が開かれて吐水がなされる度にゴミかご３が回転し、遠心力によってゴミかご３内のゴミが内壁面（側壁側）に押しつけられる。よって、ゴミかご３の底部３１にゴミが堆積することが抑制され、底部３１に形成された脱水孔３４を介した排水がスムーズに行われる。
【００４２】
また、本実施形態のゴミ脱水システム１−１は、キッチン水栓１０６の吐水量に応じた回転速度でゴミかご３を回転させることができる。吐水量に応じて水路４１を流れる水の流量が増減することで、ゴミかご３の回転速度が増減する。よって、キッチン水栓１０６の吐水量が多く、ゴミかご３に流入する水の流量が多い場合にはゴミかご３の回転速度が大きくなり、効率的にゴミかご３内のゴミを脱水することができる。
【００４３】
なお、本実施形態では、水路４１に水を供給する配管１０４が、キッチン水栓１０６に水を供給するものであったが、これに限定されるものではない。また、ゴミかご３の形態は、本実施形態で示したものに限定されるものではなく、かご開口部および脱水孔を有する様々な形態のゴミかご３を適用可能である。
【００４４】
また、本実施形態では、第一磁石３５と第二磁石３６とが羽根車６の径方向において互いに対向していたが、磁石３５，３６が対向する方向はこれに限定されるものではない。例えば、第一磁石３５と第二磁石３６とが羽根車６の軸方向において互いに対向していてもよい。
【００４５】
［第２実施形態］
図５および図６を参照して、第２実施形態について説明する。第２実施形態については、上記実施形態で説明したものと同様の機能を有する構成要素には同一の符号を付して重複する説明は省略する。図５は、第２実施形態に係るゴミ脱水システム１−２を示す斜視図、図６は、第２実施形態に係るゴミ脱水システム１−２の要部断面図である。本実施形態のゴミ脱水システム１−２において、上記第１実施形態のゴミ脱水システム１−１と異なる点は、ゴミかご３の位置合せをする支持部材７を備える点である。支持部材７は、羽根車６の中心軸線に対するゴミかご３の径方向のブレを低減し、水切り効率を向上させることができる。
【００４６】
図５および図６に示すように、支持部材７は、ゴミかご３の断面形状に対応して湾曲した板状の部材である。支持部材７は、把手部７ａ、本体部７ｂおよび支持部７ｃを有する。本体部７ｂは、ゴミかご３の外壁面に沿って延在している。本体部７ｂは、ゴミかご３の鉛直方向の断面形状に対応して鉛直方向下側に突出する形状に湾曲しており、ゴミかご３の外壁面と互いに対向している。
【００４７】
本体部７ｂは、排水容器２の下部フランジ部２４に係止する係止部７ｄを有する。係止部７ｄは、本体部７ｂの両端に形成されている。係止部７ｄは、略Ｕ字形状に湾曲した本体部７ｂの両端をゴミかご３の径方向外側に向けて屈曲させたものであり、本体部７ｂの他の部分よりも径方向外側に突出した突出部である。支持部材７は、係止部７ｄが下部フランジ部２４に係止することにより排水容器２によって支持される。また、係止部７ｄは、排水容器２と径方向において当接することで支持部材７のブレを規制する。本体部７ｂの両端の係止部７ｄ，７ｄは、それぞれ排水容器２の内壁面における上部フランジ部２５と下部フランジ部２４との間の壁面２６に当接している。これにより、支持部材７が排水容器２の径方向に移動することが規制される。よって、支持部材７はゴミかご３の位置決めを行うと共にゴミかご３の回転軸のブレを抑制することができる。
【００４８】
支持部７ｃは、軸受部材３３を径方向外側から支持するものである。支持部７ｃは、本体部７ｂと接続されており、本体部７ｂによって支持されている。支持部７ｃは、円筒形状であり、支持部７ｃの内周面がベアリング７ｅを介して軸受部材３３を回転自在に支持している。
【００４９】
ゴミかご３は、軸受部材３３の外周面が支持部材７によって径方向に支持されることで、鉛直軸に対して傾斜することが抑制されている。また、支持部材７によって径方向の位置決めがなされることで、ゴミかご３の中心軸線が羽根車６の中心軸線に対して偏心することが抑制されている。つまり、支持部材７は、ゴミかご３を支持し、ゴミかご３の径方向の移動を規制している。
【００５０】
よって、本実施形態のゴミ脱水システム１−２によれば、ゴミかご３が排水容器２内の適正な位置に配置され、かつゴミかご３の径方向のブレが抑制されることで水切り効率を向上させることができる。支持部材７の本体部７ｂは、下方に向けて湾曲しており、かつ鉛直方向上側に向かうに従い径方向外側に広がるテーパ形状である。従って、ユーザーがゴミかご３を排水容器２に挿入開始するときに、本体部７ｂと排水容器２の内壁面との間には十分な隙間があることで挿入が容易である。また、支持部材７が排水容器２に深く挿入されるに従い、本体部７ｂと排水容器２の内壁面との径方向の隙間が小さくなり、ゴミかご３が軸部材２３に対して位置決めされる。つまり、本体部７ｂは、ゴミかご３の軸受部３３を軸部材２３に対して位置決めする案内部として機能する。
【００５１】
また、本実施形態のゴミ脱水システム１−２は、支持部材７が把手部７ａを有することで、ユーザーが容易にゴミかご３を脱着することができる。把手部７ａは、上部フランジ部２５よりも鉛直方向の上側に突出している。つまり、把手部７ａは、シンク１０２の底部１０２ａよりも鉛直方向の上側に突出している。これにより、ユーザーは、シンク１０２の底部１０２ａや排水容器２、ゴミかご３に手を触れずにゴミかご３を排水容器２の排水領域２８に脱着することができる。また、取り出したゴミかご３に手を触れずに内部のゴミを処理することができる。
【００５２】
なお、本実施形態では、本体部７ｂの一方側に把手部７ａが設けられたが、これに代えて、本体部７ｂの両側に把手部７ａが設けられてもよい。また、本実施形態では、支持部７ｃがベアリング７ｅを介して軸受部材３３を支持したが、これに限定されるものではない。支持部７ｃは、例えば、ブッシュを介して軸受部材３３を支持するようにしてもよい。すなわち、支持部７ｃは、摩擦抵抗を低減させる摩擦低減機構を介してゴミかご３や第一磁石３５を径方向において支持することが好ましい。
【００５３】
本実施形態の支持部材７は、排水容器２の下部フランジ部２４に係止するものであったが、これに限定されるものではない。支持部材７は、ゴミかご３の径方向のブレを抑制できるように、あるいは軸部材２３に対してゴミかご３を適切に配置することができるように、排水容器２に対して設置可能なものであればよい。
【００５４】
［第３実施形態］
図７から図１１を参照して、第３実施形態について説明する。第３実施形態については、上記実施形態で説明したものと同様の機能を有する構成要素には同一の符号を付して重複する説明は省略する。図７は、本実施形態に係るゴミ脱水システム１−３を示す断面図、図８は、本実施形態に係る排水容器２の蓋を示す斜視図、図９は、中央開口部を開放した状態の蓋を示す斜視図、図１０は、中央開口部を閉塞した状態の蓋を示す断面図、図１１は、中央開口部を閉塞した状態の蓋を示す斜視図である。
【００５５】
本実施形態のゴミ脱水システム１−３において、上記各実施形態のゴミ脱水システム１−１，１−２と異なる点は、シンク１０２の水をゴミかご３に導く状態と、シンク１０２の水をゴミかご３を介さずに排水容器２に導く状態とに切替え可能な蓋８を備える点である。
【００５６】
本実施形態のゴミ脱水システム１−３は、上記第２実施形態のゴミ脱水システム１−２と同様に、支持部材７を備えている。蓋８は、蓋本体８１および内蓋８２を有する。蓋本体８１は、排水容器２のシンク開口部２２に係合してシンク開口部２２を閉塞するものである。蓋本体８１は、上部プレート８３、下部プレート８４、柱状部８５および側壁部８６を有する。上部プレート８３は、蓋本体８１が排水容器２に係合した状態で下部プレート８４よりも鉛直方向上側、すなわちシンク開口部側に位置する。蓋本体８１は、互いに対向する２枚の円環状のプレート８３，８４が柱状部８５によって隙間をあけて接続されている。側壁部８６は、円筒形状であり、上部プレート８３の縁部に接続されている。側壁部８６は、上部プレート８３から下部プレート８４に向けて延在している。
【００５７】
下部プレート８４の外径は、側壁部８６の内径よりも小さく、下部プレート８４の縁部と側壁部８６とは径方向において離間している。下部プレート８４と側壁部８６との径方向の隙間８８は、シンク１０２と排水容器２におけるゴミかご３の外部とを連通する開口部である。
【００５８】
蓋本体８１は、側壁部８６が排水容器２のシンク開口部２２に係合することで排水容器２を閉塞する。蓋本体８１は、側壁部８６の下端が排水容器２の下部フランジ部２４に当接することで排水容器２によって支持される。また、蓋本体８１は、側壁部８６の下端が下部フランジ部２４に当接した状態で、上部プレート８３と排水容器２の上部フランジ部２５とが連続した面を形成する。
【００５９】
蓋本体８１は、側部開口部８７を有する。側部開口部８７は、蓋本体８１と支持部材７との干渉を抑制する切欠部である。また、側部開口部８７は、蓋本体８１の内部の水をゴミかご３を介さずに排水容器２に排出する排水口として機能することができる。側部開口部８７は、蓋本体８１の側部に形成されている。側部開口部８７は、側壁部８６の内壁面から外壁面まで貫通している。また、側部開口部８７は、上部プレート８３の縁部まで延在している。側部開口部８７は、蓋本体８１に対して一対形成されている。一対の側部開口部８７，８７は、蓋本体８１の中心軸線を挟んで径方向において互いに対向する位置に配置されている。
【００６０】
上部プレート８３および下部プレート８４には、それぞれ径方向の中央部に開口部が形成されている。上部プレート８３に形成された上部開口部８３ａは、下部プレート８４に形成された下部開口部８４ａよりも大径である。上部プレート８３は、径方向の外側から内側へ向かうに従い底部側に向かう傾斜を有している。つまり、上部プレート８３は、上部プレート８３上の水が上部開口部８３ａに向けて流れるように傾斜している。一方、下部プレート８４は、径方向の内側から外側へ向かうに従い底部側に向かう傾斜を有している。つまり、下部プレート８４は、下部プレート８４上の水が径方向外側に向けて流れるように傾斜している。
【００６１】
内蓋８２は、下部開口部８４ａに係合して下部開口部８４ａを閉塞するものである。内蓋８２は、円盤形状であり、シンク開口部側に突出するつまみ８２ａを有している。下部開口部８４ａは、底部側の内径がシンク開口部側の内径よりも小さいテーパ形状である。これに対応して、内蓋８２の外周面８２ｂは、底部側の外径がシンク開口部側の外径よりも小さいテーパ形状である。従って、内蓋８２は、外周面８２ｂが下部開口部８４ａに係合することで下部開口部８４ａを閉塞することができる。内蓋８２の上面は、つまみ８２ａから径方向外側へ向かうに従い底部側に向かう傾斜を有している。つまり、内蓋８２は、内蓋８２上の水が径方向外側に向けて流れるように傾斜している。
【００６２】
内蓋８２の外径は、上部開口部８３ａの内径よりも小さい。従って、ユーザーは、蓋本体８１が排水容器２に係合した状態でシンク１０２側から下部開口部８４ａに内蓋８２を着脱することができる。本実施形態では、下部開口部８４ａが、シンク１０２とゴミかご３内とを連通する第一開口部として、下部プレート８４と側壁部８６との隙間８８および側部開口部８７が、シンク１０２と排水容器２におけるゴミかご３の外部とを連通する第二開口部として機能する。
【００６３】
図７および図９に示すように、下部開口部８４ａから内蓋８２が取り外されて下部開口部８４ａが開放されている場合、シンク１０２の水は、上部開口部８３ａから下部開口部８４ａを介してゴミかご３に流入する。つまり、下部開口部８４ａが開放された状態は、蓋８がシンク１０２の水をゴミかご３内に導く状態である。下部開口部８４ａは、下部プレート８４の径方向中央部に形成されている。また、上部プレート８３は、径方向の外側から内側へ向かうに従い底部側に向かう傾斜を有しており、シンク１０２の水をゴミかご３の径方向中央に導く。従って、上部プレート８３の上部開口部８３ａから下部開口部８４ａを介してゴミかご３に流入する水は、ゴミかご３の底部３１の径方向中央部に落下する。一方で、脱水されるごみは、遠心力によってゴミかご３の側壁面に押しつけられている。このため、ゴミかご３内で脱水されているごみに対して下部開口部８４ａを介して流入する水が掛かることが抑制される。つまり、本実施形態のゴミ脱水システム１−３によれば、脱水中のごみに水が掛かることを抑制しつつ、ゴミかご３に流入する水を排水容器２に排出することが可能である。
【００６４】
一方、図１０および図１１に示すように、下部開口部８４ａに内蓋８２が係合して下部開口部８４ａが閉塞されている場合、上部開口部８３ａを介して蓋本体８１内に流入する水は、下部プレート８４の縁部から流出する。上部開口部８３ａを介して下部プレート８４および内蓋８２の上に落下した水は、内蓋８２および下部プレート８４の傾斜に沿って径方向外側に流れ、下部プレート８４の縁部と側壁部８６との隙間８８から流出する。下部プレート８４の外径は、ゴミかご３のかご開口部３２の外径よりも大きい。よって、下部プレート８４の縁部から流出する水は、ゴミかご３の外周面と排水容器２の内周面との隙間を通って排水容器２に排出され、ゴミかご３の内部に流入することが抑制される。つまり、内蓋８２によって下部開口部８４ａが閉塞されている状態は、蓋８がシンク１０２の水をゴミかご３を介さずに排水容器２に導く状態である。
【００６５】
本実施形態のゴミ脱水システム１−３によれば、ユーザーは、内蓋８２によって下部開口部８４ａを閉塞することで、シンク１０２の水がゴミかご３内に流入することを抑制し、ゴミかご３内のごみを効率よく水切りすることができる。例えば、シンク１０２内のごみがゴミかご３に流入した後で内蓋８２によって下部開口部８４ａを閉塞すれば、キッチン水栓１０６から吐出する水によってシンク１０２を清掃することと、ごみの水切りとを同時に行うことができる。
【００６６】
［第４実施形態］
図１２から図１７を参照して、第４実施形態について説明する。第４実施形態については、上記実施形態で説明したものと同様の機能を有する構成要素には同一の符号を付して重複する説明は省略する。図１２は、本実施形態に係る排水容器２を示す斜視図、図１３は、本実施形態に係る蓋を示す斜視図、図１４は、本実施形態に係る蓋を示す断面図、図１５は、本実施形態に係るゴミ脱水システム１−４を示す断面図、図１６は、ゴミかごの回転を規制した状態の説明図、図１７は、ゴミかご外へ水を導く状態の説明図である。
【００６７】
本実施形態のゴミ脱水システム１−４において、上記各実施形態のゴミ脱水システム１−１，１−２，１−３と異なる点は、シンク１０２の水をゴミかご３内に導く状態と、シンク１０２の水をゴミかご３外に導く状態との切替えが可能であることに加えて、ゴミかご３の回転を規制する状態を実現可能な点である。
【００６８】
図１２に示すように、本実施形態に係る排水容器２の下部フランジ部２９は、底部側支持部２９ａ、開口部側支持部２９ｂおよび中間支持部２９ｃを有する。各支持部２９ａ，２９ｂおよび２９ｃは、互いに異なる鉛直方向の位置で支持部材７を支持するものである。つまり、底部側支持部２９ａ、開口部側支持部２９ｂおよび中間支持部２９ｃは、支持部材７を支持することで、鉛直方向における支持部材７の位置を調節する。
【００６９】
各支持部２９ａ，２９ｂ，２９ｃのうち、底部側支持部２９ａは、最も底部側に位置しており、開口部側支持部２９ｂは、最もシンク開口部側に位置している。また、中間支持部２９ｃは、鉛直方向における底部側支持部２９ａと開口部側支持部２９ｂとの中間に位置している。なお、下部フランジ部２９において、底部側支持部２９ａ、開口部側支持部２９ｂおよび中間支持部２９ｃは、それぞれ対となって設けられている。例えば、図１６に示すように、下部フランジ部２９には、２つの底部側支持部２９ａが対となって設けられている。一対の底部側支持部２９ａは、排水容器２の中心軸線を挟んで径方向において対向する位置に配置されている。開口部側支持部２９ｂおよび中間支持部２９ｃについても同様である。
【００７０】
図１３および図１４に示す蓋９は、排水容器２のシンク開口部２２に係合するものである。蓋９は、円盤形状であり、本体部９１および円筒部９２を有する。本体部９１は、円盤形状であり、径方向の中央部には開口部９１ａが形成されている。本体部９１の外径は、シンク開口部２２の内径と略同じである。本体部９１は、シンク開口部２２に挿入可能であり、かつシンク開口部２２に挿入されるとシンク開口部２２を閉塞する。また、本体部９１には、切欠部９１ｂが形成されている。切欠部９１ｂは、支持部材７と蓋９との干渉を抑制するためのものである。円筒部９２は、円筒形状であり、本体部９１における底部側の面に接続されている。本体部９１がシンク開口部２２を閉塞した状態において、開口部９１ａは、シンク１０２とゴミかご３内とを連通する。また、本体部９１がシンク開口部２２を閉塞した状態において、円筒部９２の外周面と排水容器２の内壁面との間には隙間が形成される。
【００７１】
図１５に示すように、本実施形態のゴミ脱水システム１−４は、上記第２実施形態のゴミ脱水システム１−２と同様に、支持部材７を備えている。支持部材７は、排水容器２に挿入されるときに、底部側支持部２９ａ、開口部側支持部２９ｂあるいは中間支持部２９ｃのいずれかに当接して支持される。本実施形態では、ゴミかご３と支持部材７とは、ゴミかご３の軸方向に相対移動可能である。支持部材７の支持部７ｃは、ゴミかご３の軸受部材３３の外周面に対して軸方向に摺動可能である。蓋９は、支持部材７によって支持され、支持部材７と共に鉛直方向に移動する。すなわち、蓋９は、支持部２９ａ，２９ｂ，２９ｃが支持部材７を支持する鉛直方向の位置に応じて排水容器２に対して鉛直方向に相対移動し、この相対移動により、シンク開口部２２を閉塞あるいは開放する。
【００７２】
図１５には、支持部材７の係止部７ｄが中間支持部２９ｃによって支持されている状態が示されている。この状態では、蓋９の本体部９１がシンク開口部２２を閉塞し、かつ蓋９の上部が排水容器２の上部フランジ部２５と同一面上にある。蓋９の本体部９１は、上部フランジ部２５と連続的な面を形成しており、シンク１０２の水は上部フランジ部２５から本体部９１上を経由して開口部９１ａを介してゴミかご３に流入する。つまり、支持部材７が中間支持部２９ｃによって支持されている状態は、シンク１０２の水をゴミかご３内に導き、シンク１０２からゴミかご３への水の流入を許容する状態（以下、「第一状態」とも記載する。）である。また、この状態では、第一磁石３５と第二磁石３６とが互いに対向しており、かつゴミかご３の軸受部材３３が軸部材２３によって回転自在に支持されている。よって、キッチン水栓１０６が開かれて水路４１に水流が発生すると、ゴミかご３が回転し、ゴミかご３内のゴミを脱水することができる。
【００７３】
図１６には、支持部材７の係止部７ｄが底部側支持部２９ａによって支持されている状態が示されている。この状態では、蓋９の本体部９１がシンク開口部２２を閉塞し、かつ蓋９の上部は、排水容器２の上部フランジ部２５よりも鉛直方向下側に位置している。つまり、図１５に示す第一状態よりも底部側の深い位置まで支持部材７、ゴミかご３および蓋９が排水容器２に挿入されている。
【００７４】
ここで、本実施形態の支持部材７は、突起７ｆを有する。突起７ｆは、本体部７ｂに形成されており、より具体的には、軸受部材３３と鉛直方向において対向する位置に形成されている。突起７ｆは、本体部７ｂから軸受部材３３に向けて、すなわち底部側に向けて突出している。軸受部材３３は、突起７ｆに対応する突起３３ｂを有する。突起３３ｂは、例えば、軸受部材３３と第一磁石３５とを締結するボルト等の締結部材である。支持部材７の突起７ｆは、突起３３ｂと対応する半径方向の位置に配置されている。突起７ｆは、軸受部材３３の突起３３ｂと当接することで軸受部材３３の回転を規制する。
【００７５】
突起７ｆは、図１５に示す第一状態では突起３３ｂと当接せず、図１６に示すように支持部材７の係止部７ｄが底部側支持部２９ａによって支持される状態では突起３３ｂと当接してゴミかご３および第一磁石３５の回転を規制する。ゴミかご３は、支持部材７が排水容器２に挿入される際に、支持部材７が底部側支持部２９ａに当接する前に軸部材２３によって軸方向に支持される。支持部材７は、ゴミかご３が軸部材２３によって支持されてから底部側支持部２９ａに当接するまで更に底部側まで挿入される。これにより、突起７ｆと突起３３ｂとがゴミかご３の軸方向に相対移動し、回転方向において当接する状態となる。つまり、支持部材７の係止部７ｄが底部側支持部２９ａによって支持される状態は、支持部材７がゴミかご３の回転を規制する状態（以下、「第二状態」とも記載する。）である。第二状態では、上記第一状態と同様に、シンク１０２の水が開口部９１ａを介してゴミかご３内に導かれる。
【００７６】
図１７には、支持部材７の係止部７ｄが開口部側支持部２９ｂによって支持されている状態が示されている。この状態では、蓋９の上面は、排水容器２の上部フランジ部２５よりも鉛直方向上側に位置している。つまり、図１５に示す第一状態よりもシンク開口部側の浅い位置までしか支持部材７、ゴミかご３および蓋９が排水容器２に挿入されない。
【００７７】
蓋９の本体部９１の縁部は、上部フランジ部２５に対してシンク開口部側に浮き上がった状態となる。このため、シンク１０２の水は、本体部９１と上部フランジ部２５との隙間を介して排水容器２に流入する。蓋９の円筒部９２と排水容器２の内壁面との隙間は、シンク１０２から流入する水をゴミかご３と排水容器２の内壁面との隙間に導く流路として機能する。従って、本体部９１と上部フランジ部２５との隙間を介して流入する水は、円筒部９２の外周面と排水容器２の内壁面との隙間を経由して、ゴミかご３と排水容器２の内壁面との隙間を流れる。また、円筒部９２は、ゴミかご３のかご開口部３２をガードし、本体部９１と上部フランジ部２５との隙間から流入する水がゴミかご３内に流入することを抑制する。つまり、支持部材７の係止部７ｄが開口部側支持部２９ｂによって支持されている状態は、蓋９がシンク開口部２２を開放して、シンク１０２の水がゴミかご３と排水容器２との隙間に流入する状態、言い換えると蓋９がシンク１０２の水を排水容器２内におけるゴミかご３の外部に導く状態（以下、「第三状態」とも記載する。）である。第三状態では、蓋９は、シンク１０２の水がゴミかご３に流入することを規制する。
【００７８】
第三状態では、第一状態よりもゴミかご３がシンク開口部側に位置するものの、第一磁石３５と第二磁石３６とが互いに対向した状態にある。従って、第三状態においてキッチン水栓１０６が開かれるとゴミかご３が回転し、ゴミかご３内のゴミが脱水される。
【００７９】
このように、本実施形態のゴミ脱水システム１−４では、支持部材７が支持される鉛直方向の位置に応じて、シンク１０２の水がゴミかご３内に導かれる状態（第一状態、第二状態）と、シンク１０２の水がゴミかご３内を介さずに排水容器２に導かれる状態（第三状態）とが切り替わる。
【００８０】
また、支持部材７は、支持部材７が支持される鉛直方向の位置に応じてゴミかご３と選択的に係合し、ゴミかご３の回転を規制することができる。上記第二状態では、支持部材７の突起７ｆがゴミかご３の突起３３ｂに当接してゴミかご３の回転を規制する。一方、上記第一状態および上記第三状態では、突起７ｆは突起３３ｂに当接せず、支持部材７はゴミかご３の回転を規制することなく、前記ゴミかご３の回転を許容する。
【００８１】
このように、本実施形態のゴミ脱水システム１−４によれば、ユーザーは、各支持部２９ａ，２９ｂ，２９ｃのいずれに支持部材７を置くかによって、シンク１０２の水をゴミかご３内に導くか否か、およびゴミかご３を回転させるか否かを容易に切り替えることができる。
【００８２】
上記の各実施形態に開示された内容は、適宜組み合わせて実行することができる。
【符号の説明】
【００８３】
１−１，１−２，１−３，１−４  ゴミ脱水システム
２  排水容器
３  ゴミかご
５  隔離部材
６  羽根車
７  支持部材
２２  シンク開口部
３２  かご開口部
３４  脱水孔
３５  第一磁石
３６  第二磁石
４１  水路
１０２  シンク
１０４  配管
【図１】
0005719207.tif 000002
【図２】
0005719207.tif 000003
【図３】
0005719207.tif 000004
【図４】
0005719207.tif 000005
【図５】
0005719207.tif 000006
【図６】
0005719207.tif 000007
【図７】
0005719207.tif 000008
【図８】
0005719207.tif 000009
【図９】
0005719207.tif 000010
【図１０】
0005719207.tif 000011
【図１１】
0005719207.tif 000012
【図１２】
0005719207.tif 000013
【図１３】
0005719207.tif 000014
【図１４】
0005719207.tif 000015
【図１５】
0005719207.tif 000016
【図１６】
0005719207.tif 000017
【図１７】
0005719207.tif 000018